(57)【要約】      （修正有）【課題】測定結果に基づいた適切なアドバイスを提供する情報提供装置、情報提供システム及び情報提供方法を提供する。【解決手段】サーバ１は、健康情報を所定の時間間隔で他の装置に提供する情報提供装置であって、ユーザの身体情報を測定する測定器から所定の時間間隔内に取得した身体情報に基づいて、他の装置にテキストを出力させるための情報を含んだ健康情報を生成する処理を実行し、規定された複数の測定器が、所定の時間間隔内に身体情報を取得した第１の測定器と、身体情報を取得していない第２の測定器とからなる場合に、健康情報は、第２の測定器での測定を促す情報を含む。【選択図】図５
2020061034.tif 000002
【特許請求の範囲】
【請求項１】
健康情報を所定の時間間隔で他の装置に提供する情報提供装置であって、
ユーザの身体情報を測定する測定器から前記所定の時間間隔内に取得した身体情報に基づいて、前記他の装置にテキストを出力させるための情報を含んだ前記健康情報を生成する処理を実行し、
規定された複数の前記測定器が、前記所定の時間間隔内に前記身体情報を取得した第１の測定器と、前記身体情報を取得していない第２の測定器とからなる場合に、前記健康情報は、前記第２の測定器での測定を促す情報を含む
情報提供装置。
【請求項２】
前記健康情報は、前記第１の測定器からの前記身体情報に基づいた健康状態に関する内容を示すテキストを出力させる情報と、前記第２の測定器での測定を促す内容を示すテキストを出力させる情報と、を含む
請求項１に記載の情報提供装置。
【請求項３】
前記健康情報は、前記取得した身体情報に基づいて決定されたマッサージ装置で前記ユーザに施すことが推奨されるマッサージ内容を示すテキストを出力させる情報を含む
請求項１又は２に記載の情報提供装置。
【請求項４】
前記マッサージ内容を示すテキストを出力させる情報は、前記マッサージ内容でのマッサージの開始を指示するボタンを表示させる情報を含む
請求項３に記載の情報提供装置。
【請求項５】
マッサージ装置に対して、ユーザ操作に従う前記マッサージ装置からのリクエストに応じたタイミングで前記健康情報を提供する
請求項１〜請求項４のいずれか一項に記載の情報提供装置。
【請求項６】
前記マッサージ装置の複数のユーザのうちのログインユーザについての前記健康情報を前記マッサージ装置に提供する
請求項５に記載の情報提供装置。
【請求項７】
前記マッサージ装置のログインユーザは、前記マッサージ装置から無線通信可能な範囲にある携帯端末のユーザに対して実行されたユーザ認証に成功したユーザである
請求項６に記載の情報提供装置。
【請求項８】
前記健康情報を生成する処理は、前記第１の測定器からの前記身体情報と、前記健康情報を前記他の装置に提供するタイミングとに基づいて前記健康状態に関する内容を決定する処理を含む
請求項２に記載の情報提供装置。
【請求項９】
健康情報を所定の時間間隔で他の装置に提供する情報提供装置と、
前記他の装置と、を備え、
前記情報提供装置は、ユーザの身体情報を測定する測定器から前記所定の時間間隔内に取得した身体情報に基づいて、前記他の装置にテキストを出力させるための情報を含んだ前記健康情報を生成する処理を実行し、
規定された複数の前記測定器が、前記所定の時間間隔内に前記身体情報を取得した第１の測定器と、前記身体情報を取得していない第２の測定器とからなる場合に、前記健康情報は、前記第２の測定器での測定を促す情報を含み、
前記他の装置は、マッサージ装置を含む
情報提供システム。
【請求項１０】
健康情報を所定の時間間隔で他の装置に提供する情報提供装置と、
前記他の装置と、を備え、
前記他の装置はマッサージ装置を含み、
前記マッサージ装置は、ユーザの身体情報を測定する、１以上の測定器から前記所定の時間間隔内に取得した身体情報を前記情報提供装置に送信し、
前記情報提供装置は、さらに、前記他の装置に対して、ユーザ操作に従う前記他の装置からのリクエストに応じたタイミングで、前記マッサージ装置から取得した前記身体情報に基づく前記健康情報を提供する
情報提供システム。
【請求項１１】
情報提供装置が健康情報を所定の時間間隔で他の装置に提供する方法であって、
ユーザの身体情報を測定する測定器から前記所定の時間間隔内に身体情報を取得するステップと、
取得された前記身体情報に基づいて、前記他の装置にテキストを出力させるための情報を含んだ前記健康情報を生成するステップと、を含み、
規定された複数の前記測定器が、前記所定の時間間隔内に前記身体情報を取得した第１の測定器と、前記身体情報を取得していない第２の測定器とからなる場合に、前記健康情報は、前記第２の測定器での測定を促す情報を含む
情報提供方法。
【発明の詳細な説明】
【技術分野】
【０００１】
本開示は、情報提供装置、情報提供システム、及び情報提供方法に関する。
【背景技術】
【０００２】
セルフメディケーションの観点から、ユーザが自ら身体に関するデータを定期的に測定することがある。身体に関するデータは、たとえば、血圧や、体重や、歩数などである。
【先行技術文献】
【特許文献】
【０００３】
【特許文献１】特開平９−１９２１８６号公報
【発明の概要】
【０００４】
定期的に得られる身体に関するデータの測定値に対して、適切なアドバイスが欲しいと要望される場合がある。アドバイスは、身体に関するデータが多いほど精度が向上する。そのため、測定器を多く用いて、より多くの身体に関するデータを利用してアドバイスを生成することが考えられる。
【０００５】
ここで、複数の測定値からアドバイスを生成する場合に、用いる測定器のすべてから測定値が得られないとアドバイスが生成されないように構成されていると、１つでも測定値が得られていない場合にはアドバイスが生成されない。その点、必要な測定が多くなるほど、測定の失敗や測定忘れの可能性が高まる。そのため、必要な測定が多くなるほどアドバイスの精度は向上する反面、定期的なアドバイスが得られない可能性が高くなる。
【０００６】
ある実施の形態に従うと、情報提供装置は健康情報を所定の時間間隔で他の装置に提供する情報提供装置であって、ユーザの身体情報を測定する測定器から所定の時間間隔内に取得した身体情報に基づいて、他の装置にテキストを出力させるための情報を含んだ健康情報を生成する処理を実行し、規定された複数の測定器が、所定の時間間隔内に身体情報を取得した第１の測定器と、身体情報を取得していない第２の測定器とからなる場合に、健康情報は、第２の測定器での測定を促す情報を含む。
【０００７】
他の実施の形態に従うと、情報提供システムは、健康情報を所定の時間間隔で他の装置に提供する情報提供装置と、他の装置と、を備え、情報提供装置は、ユーザの身体情報を測定する測定器から所定の時間間隔内に取得した身体情報に基づいて、他の装置にテキストを出力させるための情報を含んだ健康情報を生成する処理を実行し、規定された複数の測定器が、所定の時間間隔内に身体情報を取得した第１の測定器と、身体情報を取得していない第２の測定器とからなる場合に、健康情報は、第２の測定器での測定を促す情報を含み、他の装置は、マッサージ装置を含む。
【０００８】
他の実施の形態に従うと、情報提供システムは、健康情報を所定の時間間隔で他の装置に提供する情報提供装置と、他の装置と、を備え、他の装置はマッサージ装置を含み、マッサージ装置は、ユーザの身体情報を測定する、１以上の測定器から所定の時間間隔内に取得した身体情報を情報提供装置に送信し、情報提供装置は、さらに、他の装置に対して、ユーザ操作に従う他の装置からのリクエストに応じたタイミングで、マッサージ装置から取得した身体情報に基づく健康情報を提供する。
【０００９】
他の実施の形態に従うと、情報提供方法は情報提供装置が健康情報を所定の時間間隔で他の装置に提供する方法であって、ユーザの身体情報を測定する測定器から所定の時間間隔内に身体情報を取得するステップと、取得された身体情報に基づいて、他の装置にテキストを出力させるための情報を含んだ健康情報を生成するステップと、を含み、規定された複数の測定器が、前記所定の間隔内に身体情報を取得した第１の測定器と、身体情報を取得していない第２の測定器とからなる場合に、健康情報は、第２の測定器での測定を促す情報を含む。
【図面の簡単な説明】
【００１０】
【図１】図１は、実施の形態にかかる情報提供システムの構成の一例を表した図である。
【図２】図２は、情報提供システムに含まれるサーバの構成を示すブロック図である。
【図３】図３は、情報提供システムに含まれる端末装置及び測定器の構成を示すブロック図である。
【図４】図４は、情報提供システムに含まれるマッサージチェアの構成を示すブロック図である。
【図５】図５は、第１の実施の形態に係る情報提供システムでの情報提供方法の流れを表したシーケンス図である。
【図６】図６Ａ及び図６Ｂは、端末装置の画面例を示した図である。
【図７】図７Ａ及び図７Ｂは、端末装置の画面例を示した図である。
【図８】図８Ａ及び図８Ｂは、端末装置の画面例を示した図である。
【図９】図９Ａ及び図９Ｂは、端末装置の画面例を示した図である。
【図１０】図１０Ａ及び図１０Ｂは、端末装置の画面例を示した図である。
【図１１】図１１Ａ及び図１１Ｂは、端末装置の画面例を示した図である。
【図１２】図１２は、端末装置の画面例を示した図である。
【図１３】図１３は、第２の実施の形態に係る情報提供システムでの情報提供方法の流れを表したシーケンス図である。
【図１４】図１４は、マッサージチェアのタブレットの画面例を示した図である。
【発明を実施するための形態】
【００１１】
［１．情報提供装置、情報提供システム、及び情報提供方法の概要］
（１）本実施の形態に含まれる情報提供装置は、健康情報を所定の時間間隔で他の装置に提供する情報提供装置であって、ユーザの身体情報を測定する測定器から所定の時間間隔内に取得した身体情報に基づいて、他の装置にテキストを出力させるための情報を含んだ健康情報を生成する処理を実行し、規定された複数の測定器が、所定の時間間隔内に身体情報を取得した第１の測定器と、身体情報を取得していない第２の測定器とからなる場合に、健康情報は、第２の測定器での測定を促す情報を含む。
【００１２】
身体情報は、ユーザの身体に関する情報であって、運動に関連する生体情報を含む。身体情報は、例えば、脈拍、心拍数、血圧、血中酸素濃度、歩数、最大酸素摂取量、睡眠時間、睡眠深さ、などの、測定器で測定可能な情報である。健康情報は、身体情報に基づいて他の装置にテキストを出力させるための情報を含む。テキストは、例えば、ユーザの健康状態に関する内容を表す文字列である。健康状態に関する内容は、例えば、測定値の示す健康状態についてのアドバイス、健康状態を向上するためのアドバイス、などの、測定値から得られる文章で表される情報である。
【００１３】
情報提供装置が上記の健康情報を提供することによって、規定された複数の測定器のうちの身体情報が得られていないものがある場合であっても、ユーザは、情報提供装置によって取得された身体情報に基づくテキストによる情報を得ることができるとともに、測定を行っていない測定器での測定が促される。
【００１４】
（２）好ましくは、健康情報は、第１の測定器からの身体情報に基づいた健康状態に関する内容をテキスト表示させる情報と、第２の測定器での測定を促す内容をテキスト表示させる情報と、を含む。これにより、規定された複数の測定器のうちの身体情報が得られていないものがある場合であっても、ユーザは、情報提供装置によって取得された身体情報に基づく健康状態に関する内容をテキストによって得ることができるとともに、測定を行っていない測定器での測定が促される。
【００１５】
（３）好ましくは、健康情報は、取得した身体情報に基づいて決定されたマッサージ装置でユーザに施すことが推奨されるマッサージ内容をテキスト表示させる情報を含む。これにより、ユーザは、推奨されるマッサージ内容を知ることができる。
【００１６】
（４）好ましくは、マッサージ内容をテキスト表示させる情報は、マッサージ内容でのマッサージの開始を指示するボタンを表示させる情報を含む。これにより、ユーザは、推奨されるマッサージ内容でのマッサージの開始を容易に指示できる。
【００１７】
（５）好ましくは、他の装置は、携帯端末とマッサージ装置とを含み、マッサージ装置には、ユーザ操作に従うマッサージ装置からのリクエストに応じたタイミングで健康情報を提供する。これにより、ユーザは、所望するタイミングで健康情報を確認することができる。
【００１８】
（６）好ましくは、健康情報を生成する処理は、第１の測定器からの身体情報と、健康情報を他の装置に提供するタイミングとに基づいて健康状態に関する内容を決定する処理を含む。これにより、情報提供装置は、提供するタイミングにも適した健康情報を提供できる。
【００１９】
（７）好ましくは、他の装置はマッサージ装置を含み、マッサージ装置の複数のユーザのうちのログインユーザについての健康情報をマッサージ装置に提供する。これにより、マッサージ装置の使用時にユーザは自身の健康情報を得ることができる。
【００２０】
（８）好ましくは、マッサージ装置のログインユーザは、マッサージ装置から無線通信可能な範囲にある携帯端末のユーザに対して実行されたユーザ認証に成功したユーザである。ログインが容易なマッサージ装置を他の装置として用いることができる。
【００２１】
（９）本実施の形態に含まれる情報提供システムは、健康情報を所定の時間間隔で他の装置に提供する情報提供装置と、他の装置と、を備え、情報提供装置は、ユーザの身体情報を測定する測定器から所定の時間間隔内に取得した身体情報に基づいて、他の装置にテキストを出力させるための情報を含んだ健康情報を生成する処理を実行し、規定された複数の測定器が、所定の時間間隔内に身体情報を取得した第１の測定器と、身体情報を取得していない第２の測定器とからなる場合に、健康情報は、第２の測定器での測定を促す情報を含み、他の装置は、マッサージ装置を含む。この情報提供システムは、（１）〜（８）のいずれか１つに記載の情報提供装置を含むので、これら情報提供装置と同じ効果を奏する。
【００２２】
（１０）本実施の形態に含まれる情報提供システムは、健康情報を所定の時間間隔で他の装置に提供する情報提供装置と、他の装置と、を備え、他の装置はマッサージ装置を含み、マッサージ装置は、ユーザの身体情報を測定する、１以上の測定器から所定の時間間隔内に取得した身体情報を情報提供装置に送信し、情報提供装置は、さらに、他の装置に対して、ユーザ操作に従う他の装置からのリクエストに応じたタイミングで、マッサージ装置から取得した身体情報に基づく健康情報を提供する。これにより、ユーザは、所望するタイミングで健康情報を確認することができるとともに、マッサージ装置も利用して健康情報を得ることができる。
（１１）本実施の形態に含まれる情報提供方法は情報提供装置が健康情報を所定の時間間隔で他の装置に提供する方法であって、ユーザの身体情報を測定する測定器から所定の時間間隔内に身体情報を取得するステップと、取得された身体情報に基づいて、他の装置にテキストを出力させるための情報を含んだ健康情報を生成するステップと、を含み、規定された複数の測定器が、所定の時間間隔内に身体情報を取得した第１の測定器と、身体情報を取得していない第２の測定器とからなる場合に、健康情報は、第２の測定器での測定を促す情報を含む。この情報提供方法は（１）〜（８）のいずれか１つに記載の情報提供装置における情報提供方法であるので、これら情報提供装置と同じ効果を奏する。
【００２３】
［２．情報提供装置、情報提供システム、及び情報提供方法の例］
［第１の実施の形態］
図１に示されるように、本実施の形態に係る情報提供システム（以下、システムと略する）１００は、サーバ１を含む。サーバ１はインターネット２などを介して、又は直接、システム１００に含まれる他の装置と通信する通信機能を有する。サーバ１は、通信機能によって、他の装置にユーザの健康に関する情報（以下、健康情報）Ｈを提供する情報提供装置として機能する。
【００２４】
また、システム１００は、複数の測定器を含む。複数の測定器は、ユーザの身体に関する情報（以下、身体情報）を測定する機能を有する。身体情報は、運動に関連する生体情報を含み、例えば、脈拍、心拍数、血圧、血中酸素濃度、歩数、最大酸素摂取量、睡眠時間、睡眠深さ、などの、測定器で測定可能な情報である。
【００２５】
複数の測定器は、ウェアラブル端末３を含む。ウェアラブル端末３は、例えば、ユーザの腕に常時装着することが想定されている。ウェアラブル端末３は、脈拍、心拍数、歩数、最大酸素摂取量、睡眠時間、睡眠深さ、などを測定する。複数の測定器は、さらに測定器４Ａ，４Ｂを含む。測定器４Ａ，４Ｂを代表して測定器４とも称する。測定器４は、例えば、体重計、血圧計、体組成計、パルスオキシメータ、などである。
【００２６】
また、システム１００は、携帯端末５を含む。携帯端末５は、インターネット２などを介してサーバ１と通信可能であるとともに、ウェアラブル端末３及び測定器４と無線通信可能である。無線通信は、例えば、Ｂｌｕｅｔｏｏｔｈ（登録商標）などの近距離無線通信である。携帯端末５は表示装置としてのタッチパネル５４を有し、サーバ１から提供された健康情報Ｈを表示する表示装置として機能する。
【００２７】
また、システム１００は、マッサージ装置の一例であるマッサージチェア６を含む。マッサージチェア６は、インターネット２などを介してサーバ１と通信可能であるとともに、ウェアラブル端末３及び測定器４と無線通信可能である。マッサージチェア６は表示装置としてのタッチパネル６４を有し、サーバ１から提供された健康情報を表示する表示装置として機能する。
【００２８】
＜サーバの構成＞
図２に示される通り、サーバ１は、プロセッサ１０とメモリ１１とを備えるコンピュータによって構成されている。プロセッサ１０は、例えば、ＣＰＵ（Central  Processing  Unit）である。
【００２９】
メモリ１１は、フラッシュメモリ、ＥＥＰＲＯＭ（Electrically Erasable Programmable Read Only Memory）、ＲＯＭ、ＲＡＭ（Random Access Memory）などを含む。メモリ１１は、１又は複数のプログラムからなるプログラム１１２と、身体情報１１１と、を記憶している。身体情報１１１は、複数ユーザについての身体情報であってもよい。その場合、メモリ１１は、ユーザの識別情報などのユーザ情報と関連付けて身体情報を記憶している。
【００３０】
プロセッサ１０は、プログラム１１２を読み出して、通知処理を実行する通知処理部１０１として機能する。プログラム１１２は、ＣＤ−ＲＯＭや（Compact Disc Read Only Memory）やＤＶＤ−ＲＯＭ（Digital Versatile Disk ROM）などの記録媒体に記録した状態で譲渡することもできるし、サーバコンピュータなどのコンピュータ装置からのダウンロードによって譲渡することもできる。プログラム１１２は、ウェブブラウザ上で動作するいわゆるウェブアプリケーションであってもよいし、プロセッサ１０でのみ動作するいわゆる専用アプリケーションであってもよい。
【００３１】
サーバ１は、さらに、通信装置１２を有する。通信装置１２は、インターネット２を介して測定器４などから身体情報Ｐを受信する。測定器４などからの身体情報Ｐにユーザ情報が付加されている場合には、受信した身体情報Ｐは、ユーザ情報を関連付けてメモリ１１に記憶される。身体情報Ｐに測定器４などの機器の識別情報が付加されている場合には、メモリ１１にはユーザ情報と機器の識別情報との対応が予め記憶されていて、受信した身体情報は、付加された機器の識別情報に対応したユーザ情報に関連付けてメモリ１１に記憶される。
【００３２】
また、通信装置１２は、インターネット２を介して表示装置である携帯端末５やマッサージチェア６に健康情報Ｈを送信する。好ましくは、通信装置１２は、健康情報Ｈにユーザ情報を付加して送信する。
【００３３】
＜端末装置の構成＞
図３に示される通り、携帯端末５は、プロセッサ５０とメモリ５１とを備える携帯型のコンピュータによって構成されている。プロセッサ５０は、例えば、ＣＰＵである。
【００３４】
メモリ５１は、フラッシュメモリ、ＥＥＰＲＯＭ、ＲＯＭ、ＲＡＭなどを含む。メモリ５１は、１又は複数のプログラムからなるプログラム５１１を記憶している。プロセッサ５０は、プログラム５１１を読み出して、アップロード（ＵＬ）処理を実行するＵＬ処理部５０１として機能する。また、プロセッサ５０は、プログラム５１１を読み出して、表示処理を実行する表示処理部５０２として機能する。プログラム５１１、サーバコンピュータなどのコンピュータ装置からのダウンロードなどによって譲渡することができる。プログラム５１１は、ウェブブラウザ上で動作するいわゆるウェブアプリケーションであってもよいし、プロセッサ５０でのみ動作するいわゆる専用アプリケーションであってもよい。
【００３５】
携帯端末５は、さらに、第１通信装置５２を有する。また、携帯端末５は、さらに、第２通信装置５３を有する。第２通信装置５３は、通信可能な範囲にある測定器４やウェアラブル端末３と近距離無線通信を行って、身体情報Ｐを受信する。第１通信装置５２は、インターネット２を介してサーバ１から健康情報Ｈを受信するとともに、第２通信装置５３が受信した身体情報Ｐをサーバ１に送信する。
【００３６】
＜測定器の構成＞
図３に示される通り、測定器４は、身体情報を測定するための測定部４１を有する。また、測定器４は、通信部４２を有する。通信部４２は、通信可能な範囲にある携帯端末５と近距離無線通信を行って、身体情報Ｐを送信する。なお、通信部４２は、サーバ１と通信する機能を有していてもよい。その場合、測定器４は、携帯端末５を介することなく直接、サーバ１に身体情報Ｐを送信してもよい。
【００３７】
なお、測定器であるウェアラブル端末３も、図３に示された測定器４と同様の構成を有する。好ましくは、ウェアラブル端末３は、さらに、測定された身体情報を表示するための表示部を有する。また、好ましくは、ウェアラブル端末３は、さらに、表示部に現在時刻等を表示する時計機能を有する。
【００３８】
＜マッサージチェアの構成＞
図４に示される通り、マッサージチェア６は、プロセッサ６０とメモリ６１とを備える。メモリ６１は、１又は複数のプログラムからなるプログラム６１１を記憶している。また、メモリ６１は、システム１００のユーザの識別情報を含むユーザ情報６１２を記憶している。ユーザ情報６１２は、複数ユーザに関するユーザ情報であってもよい。
【００３９】
また、マッサージチェア６は、ユーザの身体に対してマッサージを行う、図示しないエアセルやバイブレータによるマッサージユニット６５を有する。プロセッサ６０は、プログラム６１１を読み出して実行することで、マッサージユニット６５の駆動を制御する駆動制御部６０１として機能する。
【００４０】
また、マッサージチェア６は、表示装置及び操作装置としてのタッチパネル６４を有する。プロセッサ６０は、プログラム６１１を読み出して実行することで、タッチパネル６４への表示処理を行う表示処理部６０２として機能する。
【００４１】
マッサージチェア６は、さらに、第１通信装置６２を有する。また、マッサージチェア６は、さらに、第２通信装置６３を有する。第２通信装置６３は、通信可能な範囲にある測定器４やウェアラブル端末３と近距離無線通信を行って、身体情報Ｐを受信する。第１通信装置６２は、インターネット２を介してサーバ１から健康情報Ｈを受信するとともに、第２通信装置６３が受信した身体情報Ｐをサーバ１に送信する。
【００４２】
操作装置としてのタッチパネル６４は、ユーザ操作を受け付ける。受け付けるユーザ操作は、ログイン操作を含む。ログイン操作は、ユーザ情報の入力操作を含む。ユーザ情報は、第２通信装置６３がウェアラブル端末３や測定器４から身体情報Ｐとともに受信してもよい。プロセッサ６０は、プログラム６１１又は図示しない他のプログラムを読み出して実行することで、ユーザ認証する認証処理部６０３として機能する。認証処理部６０３は、受け付けたユーザ情報とメモリ６１に記憶されているユーザ情報６１２とを比較して、ユーザが登録ユーザであることを認証する処理である。表示処理やマッサージユニット６５の駆動は、ユーザ認証に成功した場合に行われてもよい。また、表示処理では、ユーザ認証の結果が用いられてもよい。なお、ユーザ認証はサーバ１で実行され、プロセッサ６０は認証結果をサーバ１から取得するよう構成されていてもよい。
【００４３】
＜情報提供方法＞
本システム１００では、図５に示される流れで情報提供が行われる。図５を参照して、ウェアラブル端末３、測定器４Ａ、及び測定器４Ｂの複数の測定器において、それぞれのタイミングで身体情報が測定される。すなわち、図５の例では、規定された複数の測定器が、ウェアラブル端末３、測定器４Ａ、及び測定器４Ｂの３台の測定器であるものとする。
【００４４】
ウェアラブル端末３では、例えば、ユーザが装着している際には所定の時間間隔などの規定のタイミングで脈拍等の身体情報Ｐ１が測定される（ステップＳ１）。身体情報Ｐ１は、ユーザ情報とともに、携帯端末５又はマッサージチェア６を介し、インターネット２を経由してサーバ１に送信される（ステップＳ２）。又は、ウェアラブル端末３がサーバ１と直接通信可能である場合、ステップＳ２で、身体情報Ｐ１はユーザ情報とともに、他の装置を介さずに直接サーバ１に送信されてもよい。これは、以降の、測定器４Ａ，４Ｂでも同様である。また、後述の、第２の実施の形態にかかるシステム００でも同様である。図５では、ウェアラブル端末３、及び、測定器４Ａ，４Ｂから直接サーバ１に身体情報Ｐ１〜Ｐ３が渡されるように矢印で示されているが、図５の表現は、直接サーバ１に送信する例のみならず、携帯端末５又はマッサージチェア６を介して送信する例も併せて示している。また、身体情報Ｐ１〜Ｐ３は、必ずしもすべてが同じルートでサーバ１に送信されなくてもよい。すなわち、少なくとも１つの測定装置からの身体情報Ｐが、携帯端末５を介して、又は、マッサージチェア６を介して、或いは、サーバ１に直接送信されてもよい。身体情報Ｐをサーバ１に送信する際にマッサージチェア６を経由することで、携帯端末５などの専用の装置がない場合であっても身体情報Ｐをサーバ１に送信することができる。また、複数の身体情報Ｐを送信するルートが複数存在することで、複数の身体情報Ｐがサーバ１に送信される可能性を高めることができる。なお、身体情報Ｐ１は、サーバ１からの要求に応じて測定器からサーバ１に送信されてもよい。以下の例でも同じである。
【００４５】
また、例えば体重計である測定器４Ａでは、ユーザが操作したタイミングで体重が測定され（ステップＳ３）、ここでは体重である身体情報Ｐ２が、測定器４Ａの識別情報（例えば、シリアルナンバー）とともにサーバ１に送信される（ステップＳ４）。測定器４Ａがユーザ情報を記憶しており、ユーザを特定して体重の測定を行った場合、ステップＳ４では、身体情報Ｐ２がユーザ情報とともにサーバ１に送信されてもよい。測定器４Ａからサーバ１への身体情報Ｐ２の送信もまた、携帯端末５を経由するルート、又は、マッサージチェア６を介するルート、あるいは直接サーバ１に送信するルート、で行われる。以下の測定器４Ｂも同様である。
【００４６】
また、例えば血圧計である測定器４Ｂでは、ユーザが操作したタイミングで血圧が測定され（ステップＳ５）、ここでは血圧である身体情報Ｐ３が、測定器４Ｂの識別情報、又はユーザ情報とともにサーバ１に送信される（ステップＳ６）。
【００４７】
サーバ１は、先の送信のタイミングｔ０から所定の時間間隔ｔのタイミングｔ１において、時間間隔ｔ内に規定された複数の測定器すべてから取得した複数の身体情報Ｐに基づいて、表示装置である携帯端末５にテキストを出力させるための情報を含んだ健康情報Ｈを生成して（ステップＳ７）、携帯端末５に送信する（ステップＳ８）。
【００４８】
ステップＳ７のサーバ１で健康情報Ｈを生成する処理は、一例として、機械学習を利用したものである。この場合、通知処理部１０１は、測定器から取得した身体情報Ｐを入力値として健康情報Ｈが出力されるように予め機械学習されている。ステップＳ７は、身体情報Ｐ１，Ｐ２，Ｐ３を入力してその出力値として健康情報Ｈ１を得る処理（ステップＳ７１）を含む。
【００４９】
ステップＳ７では、健康情報Ｈ１は、少なくとも身体情報Ｐ１〜Ｐ３に基づいて生成される。すなわち、通知処理部１０１における健康情報Ｈを生成する処理は、測定器からの身体情報Ｐに基づいて健康状態に関する内容を決定する処理を含む。健康情報Ｈは、身体情報Ｐに基づいて表示装置である携帯端末５にテキストを出力（表示）させるための情報を含む。テキストは、ユーザの健康状態に関する内容を表す文字列である。健康状態に関する内容は、測定値の示す健康状態についてのアドバイス、健康状態を向上するためのアドバイス、などの、測定値から得られる文章で表される情報を指す。なお、健康状態に関する内容は測定値そのものを含んでもよく、測定値を示す文字もテキストに含められてもよい。
【００５０】
なお、健康情報Ｈ１の生成に、身体情報Ｐ１〜Ｐ３に加えて、身体情報Ｐ１〜Ｐ３より以前に受信した身体情報Ｐが用いられてもよい。サーバ１から健康情報Ｈ１を受信した携帯端末５では表示処理が実行されて、タッチパネル５４に健康情報Ｈ１に基づくテキストが表示される（ステップＳ９）。
【００５１】
健康情報Ｈの生成、及び、表示装置での表示は、所定の時間間隔ｔで繰り返される。時間間隔ｔは、例えば、一日である。又は、時間間隔ｔは、ユーザが設定、あるいは、変更可能であってもよい。時間間隔ｔ内でサーバ１が身体情報を取得する複数の測定器は予め規定されている。そして、規定された複数の測定器それぞれでの身体情報Ｐの測定も、所定のタイミングで繰り返される。所定のタイミングは、例えば、起床後、規定された時刻、などの、ユーザ等が設定したタイミングである。
【００５２】
すなわち、健康情報Ｈの生成及び表示の後、適切なタイミングに達すると、ウェアラブル端末３で脈拍等の身体情報Ｐ１が測定され（ステップＳ１１）、サーバ１に送信される（ステップＳ１２）。また、測定器４Ａで体重などである身体情報Ｐ２が測定され（ステップＳ１３）、サーバ１に送信される（ステップＳ１４）。
【００５３】
設定されたタイミングでは、次に、測定器４Ｂで血圧などである身体情報Ｐ３が測定され（ステップＳ１５）、サーバ１に送信される（ステップＳ１６）ものとする。しかしながら、ユーザが測定操作を忘れたり、装置を装着し忘れたりすることによって身体情報Ｐ３が測定されず、サーバ１に送信されなかったものとする。
【００５４】
すなわち、規定された複数の測定器は、タイミングｔ１からタイミングｔ２までの時間ｔ内にサーバ１が身体情報Ｐを取得した第１の測定器（ウェアラブル端末３及び測定器４Ａ）と、身体情報Ｐを取得していない第２の測定器（測定器４Ｂ）と、からなる。
【００５５】
タイミングｔ２で、サーバ１は、次の健康情報Ｈ２を生成する（ステップＳ１７）。ステップＳ１７では、サーバ１には身体情報Ｐ３が送信されていないため、身体情報Ｐ３を用いることができない。そこで、ステップＳ１７では、規定された複数の測定器それぞれからの複数の身体情報Ｐのうちの得られた身体情報Ｐ（身体情報Ｐ１、Ｐ２）のみで健康情報Ｈ２を生成する。これにより、身体情報Ｐが得られていない第２の測定器があった場合であっても、健康情報Ｈ２が生成される。
【００５６】
生成される健康情報Ｈ２は、さらに、第２の測定器である測定器４Ｂでの測定を促す情報（通知）を含む。測定器４Ｂでの測定を促す通知は、例えば、身体情報Ｐ３が測定されていないことの通知である。生成された健康情報Ｈ２は携帯端末５に送信される（ステップＳ１８）。携帯端末５のタッチパネル５４には、健康情報Ｈ２に基づくテキストが表示されるとともに（ステップＳ１９）、身体情報Ｐ３が測定されていないことの通知もテキスト表示される。
【００５７】
なお、サーバ１では、所定の時間間隔ｔで繰り返される健康情報Ｈの生成及び送信と並行して、時間間隔ｔよりも長い時間間隔Ｔで、時間間隔Ｔのうちに得られた身体情報Ｐに基づいた健康情報ＨＨ１を生成し（ステップＳ２１）、携帯端末５に送信してもよい（ステップＳ２２）。携帯端末５のタッチパネル５４には、健康情報ＨＨ１に基づくテキストが表示される（ステップＳ２３）。時間間隔Ｔは、例えば、一月である。これにより、健康情報Ｈよりも長期間隔の身体情報Ｐに基づいた健康状態やその変化、アドバイスを得ることができる。
【００５８】
時間間隔ｔでサーバ１から提供される健康情報Ｈは、比較的短い間隔で変化する可能性のある身体情報Ｐに基づいて生成されるものであって、例えば、下の項目を含む。
１）測定値
２）測定値と基準値との関係
３）測定値と他の測定値との比較
【００５９】
１）の測定値は、サーバ１が所定期間ｔのうちの各測定器から受信した身体情報Ｐに示される、血圧値、脈拍数、心拍数、体重、歩数、などの測定値（現在の測定値）である。例えば、ステップＳ９では、ステップＳ２で送信された身体情報Ｐ１、ステップＳ４で送信された身体情報Ｐ２、及び、ステップＳ６で送信された身体情報Ｐ３に示される測定値が表示される。なお、身体情報Ｐ１〜Ｐ３に示される測定値を表示する画面において１つでも表示されていない測定値があった場合、その表示自体が測定されていないことを通知する表示と言える。
【００６０】
２）の基準値との関係は、サーバ１の通知処理部１０１が各測定値についての基準値を予め記憶しておき、基準値と現在の測定値とを比較することによって得られる。比較結果は、例えば、現在の測定値が基準値を超える不健康な測定値であること、基準値に満たない不健康な測定値であること、２つの基準値で規定される範囲内にない不健康な測定値であること、などである。
【００６１】
３）で比較対象となる他の測定値は、例えば、サーバ１のメモリ１１に蓄積されている当該ユーザの過去の身体情報１１１に示される測定値である。３）の比較結果を得るため、サーバ１の通知処理部１０１は、測定値を過去の測定値と比較する。過去の測定値は、過去の一定期間（例えば一週間、１月）の平均値や最大値や最小値などである。
【００６２】
３）で比較対象となる他の測定値は、他の例として、サーバ１のメモリ１１に蓄積されている、当該ユーザの属性に対応した他のユーザの身体情報１１１に示される測定値である。当該ユーザの属性に対応した他のユーザの身体情報１１１は、例えば、当該ユーザとおなじ性別、年齢層の他のユーザの測定値の平均値や最大値や最小値などである。
【００６３】
時間間隔ｔでサーバ１から提供される健康情報Ｈは、上記の１）〜３）の他、１つ以上の身体情報Ｐに基づいたアドバイスを含む。アドバイスは、さらに、後述するように、健康に関する質問に対するユーザからの回答に基づいたアドバイスを含んでもよい。
【００６４】
時間間隔Ｔでサーバ１から提供される健康情報ＨＨは、健康情報Ｈに含まれる項目よりも長い間隔で変化する可能性のある身体情報Ｐに基づいて生成される項目を含み、例えば、基礎代謝、体脂肪量、水分量、筋肉量、などを含む。
【００６５】
＜表示例＞
例えば、図６Ａの画面５４１が携帯端末５のタッチパネル５４に表示される。また、ステップＳ２２では、サーバ１からの第２のメッセージに基づいて、例えば、図６Ｂの画面５４２がタッチパネル５４に表示される。
【００６６】
図６Ａを参照して、画面５４１は、現在の健康状態と、健康状態を向上させるためのアドバイスと、を表したテキストを表示するための領域４０１を含む。図６Ｂを参照して、画面５４２にも、現在の健康状態と、健康状態を向上させるためのアドバイスと、を表したテキストを表示するための領域４０５が含まれる。このテキストは、サーバ１からの健康情報Ｈに基づいて表示される。なお、領域４０１，４０５に表示されるテキストは、領域４０１，４０５のサイズに応じて健康情報Ｈに含まれるテキストの一部であってもよい。この場合、好ましくは、領域４０１，４０５には、それぞれ、残りのテキストの表示を指示するための「詳細」ボタン４０１Ａ，４０６が含まれる。ボタン４０１Ａ，４０６がタッチされることで、画面５４１，５４２は、図示しない、健康情報Ｈに含まれるテキストのすべてを表示する画面に遷移してもよい。
【００６７】
健康情報Ｈに含まれる現在の健康状態を示す情報は、例えば、健康指数である。健康指数は複数の測定器の測定データを基に算出された総合指数である。サーバ１のメモリ１１に格納されているプログラム１１２には健康指数を算出するためのプログラムが含まれ、通知処理部１０１によって算出される。
【００６８】
画面５４１，５４２はさらに、現在の健康状態に基づく生活習慣病に関する情報を表したテキストを表示するための領域４０３，４０７を含む。生活習慣病に関する情報を表したテキストは、例えば、領域４０３，４０７に示されたように、より詳しいチェックを促すテキストであってもよい。この場合、好ましくは、領域４０３，４０７には、チェックの開始を指示する「チェック」ボタン４０４，４０８が含まれる。
【００６９】
生活習慣病に関する情報は、例えば、領域４０７に示されたように、生活習慣病指数であってもよい。生活習慣病指数は複数の測定器の測定データを基に算出された総合指数である。サーバ１のメモリ１１に格納されているプログラム１１２には生活習慣病指数を算出するためのプログラムが含まれ、通知処理部１０１によって算出される。
【００７０】
生活習慣病のチェックは、例えば、生活習慣病の診断を支援するための質問の提示と、質問の回答に基づいたアドバイスの提示と、を含む。質問を表示するための情報は、一例として健康情報に含まれ、サーバ１から携帯端末５に送信される。質問を表示するための情報は、健康情報Ｈに含まれて一度に送信されてもよいし、質問ごとに、回答に応じてサーバ１から携帯端末５に送信されてもよい。又は、質問を表示するための情報は、予め携帯端末５のプログラム５１１に組み込まれていてもよい。
【００７１】
一例として、画面５４１，５４２において、「チェック」ボタン４０４，４０８がタッチされると、画面５４１，５４２は、図７Ａに示された画面５４３に遷移する。画面５４３は、第１の質問「血圧を下げる薬を使用していますか？」を表したテキスト４０９と、第１の質問に対する肯定的な回答を入力する「はい」ボタン４１０、及び、否定的な回答を入力する「いいえ」ボタン４１１と、を含む。「はい」ボタン４１０がタッチされると、画面５４３は図７Ｂに示される画面５４４に遷移する。
【００７２】
画面５４４は、第２の質問「人と比較して食べる速度が速いですか？」を表したテキスト４１２と、第２の質問に対する肯定的な回答を入力する「はい」ボタン４１３、及び、否定的な回答を入力する「いいえ」ボタン４１４と、を含む。「はい」ボタン４１３がタッチされると、画面５４４は図８Ａに示される画面５４５に遷移する。
【００７３】
画面５４５は、第３の質問「現在タバコを習慣的に吸っていますか？」を表したテキスト４１５と、第３の質問に対する肯定的な回答を入力する「はい」ボタン４１６、及び、否定的な回答を入力する「いいえ」ボタン４１７と、を含む。「はい」ボタン４１６がタッチされると、画面５４５は図８Ｂに示される画面５４６に遷移する。
【００７４】
画面５４６は、第４の質問「日常生活において歩行または同等の身体活動を１日１時間以上実施していますか？」を表したテキスト４１８と、第４の質問に対する肯定的な回答を入力する「はい」ボタン４１９、及び、否定的な回答を入力する「いいえ」ボタン４２０と、を含む。「はい」ボタン４１９がタッチされると、画面５４６は図９Ａに示される画面５４７に遷移する。
【００７５】
画面５４７は、第５の質問「就寝前の２時間以内に夕食をとることが週３回以上ありますか？」を表したテキスト４２１と、第５の質問に対する肯定的な回答を入力する「はい」ボタン４２２、及び、否定的な回答を入力する「いいえ」ボタン４２３と、を含む。「はい」ボタン４２２がタッチされると、画面５４７は図１０Ａに示される画面５４９に遷移する。
【００７６】
一方、画面５４３において「いいえ」ボタン４１１がタッチされると、画面５４３は図９Ｂに示される画面５４８に遷移する。画面５４８は、第６の質問「２０歳のときの体重から１０ｋｇ以上増加していますか？」を表したテキスト４２４と、第６の質問に対する肯定的な回答を入力する「はい」ボタン４２５、及び、否定的な回答を入力する「いいえ」ボタン４２６と、を含む。
【００７７】
同様に、各画面５４４〜５４７それぞれにおいて「いいえ」ボタン４１４，４１７，４２０，４２３がタッチされた場合にも、それぞれ、次の質問を示すテキストを表示する図示しない画面に遷移してもよい。
【００７８】
画面５４３〜５４８で回答が入力されると、入力された回答を示す情報が携帯端末５からサーバ１に送信される。サーバ１では、入力された回答を示す情報に基づいてアドバイスを決定し、健康情報Ｈとして携帯端末５に提供する。通知処理部１０１でのアドバイスの決定方法も、機械学習を利用したものであってよい。この場合、通知処理部１０１は、回答を示す情報を入力値としてアドバイスが出力されるように予め機械学習されている。サーバ１は、通知処理部１０１で出力値として得られたアドバイスを健康情報Ｈとして携帯端末５に提供する。
【００７９】
画面５４９は、質問の回答に基づいたアドバイスであって、特に、食事に関するアドバイスを表したテキスト４２７を含む。このテキスト４２７は、サーバ１からの健康情報Ｈに基づいて表示される。
【００８０】
なお、アドバイスは、食事に関するアドバイスの他、運動に関するアドバイス、ストレスに関するアドバイス、飲酒・喫煙に関するアドバイス、及び、睡眠に関するアドバイス、などの複数のアドバイスを含んでもよい。この場合、画面５４９をスクロールするなどによって、図１０Ｂに示される画面５５０に遷移させる。画面５５０は、運動に関するアドバイスを表したテキスト４２８を含む。また、画面５５０をスクロールするなどによって、図１１Ａに示される画面５５１に遷移させる。画面５５１は、ストレスに関するアドバイスを表したテキスト４２９を含む。また、画面５５１をスクロールするなどによって、図１１Ｂに示される画面５５２に遷移させる。画面５５２は、飲酒・喫煙に関するアドバイスを表したテキスト４３０を含む。また、画面５５２をスクロールするなどによって、図１２に示される画面５５３に遷移させる。画面５５３は、睡眠に関するアドバイスを表したテキスト４３１を含む。
【００８１】
なお、図５のステップＳ１５，Ｓ１６のように、予定されている身体情報Ｐ（図５の例では身体情報Ｐ３）が測定されていない場合、サーバ１から携帯端末５に送信される健康情報Ｈ２は、身体情報Ｐ３が測定されていないことの通知が含まれる。この場合、図６Ａに示されるように、画面５４１は、さらに、身体情報Ｐ３が測定されていないことの通知に基づいたテキストを表示する領域４０２を含む。領域４０２に上記通知に基づいたテキストが表示されることで、ユーザは、健康状態を把握するとともに身体情報Ｐ３の測定忘れを把握でき、身体情報Ｐ３の測定が促される。
【００８２】
また、この場合、健康情報Ｈ２は、身体情報Ｐ３以外の身体情報（この例では身体情報Ｐ１、Ｐ２）に基づく情報を含んでもよいし、メモリ１１に蓄積されている以前に取得した身体情報Ｐ３に基づく情報を含んでもよい。以前に取得した身体情報Ｐ３に基づく情報は、最も新しい測定値や、所定期間の測定値の平均値、最大値、最小値、などである。
【００８３】
＜実施の形態の効果＞
第１の実施の形態に係るシステム１００では、規定された複数の測定器で測定された身体情報Ｐに基づく健康情報Ｈが、所定の時間間隔ｔで規定された表示装置（携帯端末５）によってユーザに通知される。例えば、脈拍、心拍数、血圧、体重、体脂肪率、歩数、などの測定結果が所定の時間間隔ｔで表示装置に表示されるとともに、これら複数の測定結果に基づいたアドバイスのテキストが表示される。これにより、複数の測定器による複数の身体情報Ｐを有効に利用して健康管理を行うことが可能になる。
【００８４】
さらに、本実施の形態に係るシステム１００では、規定された複数の測定器のうちに身体情報Ｐが得られていないものがあった場合、その他の測定器からの身体情報Ｐに基づいたアドバイスが携帯端末５に表示される。その結果、ユーザは、複数の測定器のうちの身体情報Ｐが得られていないものがあった場合であっても、得られた身体情報Ｐに基づいたアドバイスが得られる。
【００８５】
また、規定された複数の測定器のうちに身体情報Ｐが得られていないものがあった場合、さらに、身体情報Ｐが得られていない測定器がある旨、つまり、その測定器での測定を促すメッセージが携帯端末５に表示される。これにより、ユーザは、サーバ１によって得られている身体情報Ｐに基づいた健康状態を把握することができるとともに、測定を行っていない測定器での測定が促される。
【００８６】
［第２の実施の形態］
図１３に示されるように、第２の実施の形態に係るシステム１００では、マッサージチェア６を表示装置としてサーバ１から健康情報ＨＨが提供される。サーバ１が健康情報を提供する装置がマッサージチェア６である場合、サーバ１は健康情報を所定の時間間隔ｔや時間間隔Ｔで提供せず、マッサージチェア６からリクエストされたタイミングのみで提供する。所定の時間間隔で健康情報が提供されると、提供時にマッサージチェア６をユーザが使用していない場合もあり、健康情報に基づく表示がユーザに確認されないためである。また、マッサージチェア６の登録ユーザが複数である場合、健康情報が提供されたタイミングのマッサージチェア６のユーザが提供された健康情報のユーザと異なる場合に、他のユーザに健康情報に基づく表示が提示されてしまうためである。
【００８７】
なお、サーバ１は、所定の時間間隔ｔや時間間隔Ｔで健康情報を提供するとともに、マッサージチェア６からリクエストされたタイミングでも提供するように構成されていてもよい。この場合、所定の時間間隔で提供された健康情報をマッサージチェア６のメモリ６１に蓄積しておくことで、マッサージチェア６のユーザはマッサージチェア６を使用するタイミングで定期的なアドバイス等を得ることができる。
【００８８】
図１３を参照して、マッサージチェア６を表示装置とする場合、マッサージチェア６では、ユーザによるログイン操作を受け付ける（ステップＳ３１）。一例として、ステップＳ３１でマッサージチェア６のプロセッサ６０は、入力装置としてのタッチパネル６４に対するユーザ操作からユーザ情報の入力を受け付ける。プロセッサ６０の認証処理部６０３は、入力されたユーザ情報とメモリ６１に記憶されているユーザ情報６１２とを用いてユーザ認証を実行する（ステップＳ３２）。これにより、マッサージチェア６に登録されている複数ユーザのうち、ログインユーザについて以降の処理が実行されて、ログインユーザについての健康情報ＨＨに基づく表示がタッチパネル６４に行われる。
【００８９】
なお、ユーザ認証はログイン操作に限定されない。他の例として、第２通信装置６３が無線通信可能な範囲に存在するユーザの携帯端末５と無線通信を行って携帯端末５からユーザ情報、又は、携帯端末５の識別情報を取得し、その情報を用いて行われてもよい。すなわち、認証処理部６０３は、第２通信装置６３が通信可能な範囲に存在する携帯端末５のユーザに対してユーザ認証を実行する。すなわち、マッサージチェア６のログインユーザは、マッサージチェア６から無線通信可能な範囲にある携帯端末５のユーザに対して実行されたユーザ認証に成功したユーザである。なお、他の例として、ユーザの携帯端末５に替えて、ウェアラブル端末３とマッサージチェア６とが通信可能であれば、ユーザ認証が成功したとしてもよい。
【００９０】
また、他の例として、タッチパネル６４を用いた指紋認証、図示しないカメラの撮影画像による画像認証、図示しないマイクへの入力音声による音声認証、などであってもよい。また、ステップＳ３２のユーザ認証はサーバ１で実行され、マッサージチェア６は認証結果をサーバ１から取得してもよい。
【００９１】
マッサージチェア６では、ユーザ操作によって要求された場合に、健康情報ＨＨをサーバ１から取得する。すなわち、第２の実施の形態に係るシステム１００において、サーバ１は、ユーザ操作に従うマッサージチェア６からのリクエストに応じたタイミングで健康情報ＨＨを提供する。詳しくは、タッチパネル６４に対する健康情報ＨＨを要求するログインユーザからの操作を受け付けると（ステップＳ３３）、マッサージチェア６はサーバ１に対してユーザ情報を送信するとともにログインユーザに関する健康情報Ｈをリクエストする（ステップＳ３４）。
【００９２】
マッサージチェア６から健康情報ＨＨをリクエストされたサーバ１は健康情報ＨＨ２を生成し（ステップＳ３５）、マッサージチェア６に送信する（ステップＳ３６）。健康情報ＨＨ２をマッサージチェア６に送信するタイミングは、例えば、マッサージチェア６から上記リクエストを受信したときである。また、他の例では、リクエストを受信してから予め規定された所定時間内であってもよい。所定時間は、例えば、健康情報ＨＨ２を生成するために必要な時間、測定器に対して身体情報Ｐを要求して取得するために要する時間、などであってもよい。リクエストに応じたタイミングは、これらタイミングを含む。
【００９３】
ステップＳ３５の処理もまた、一例として、機械学習を利用したものである。この場合、ステップＳ３５では、サーバ１のプロセッサ１０の通知処理部１０１は、リクエストとともに送信されたユーザ情報に関連付けられた身体情報Ｐをメモリ１１から読み出し（ステップＳ５１）、入力値とする。さらに、この場合、好ましくは、通知処理部１０１は、健康情報ＨＨ２をマッサージチェア６に提供するタイミング（時刻、等）も入力値とする。通知処理部１０１は、これら入力値に対する出力値として健康情報ＨＨ２を得る（ステップＳ５３）。すなわち、通知処理部１０１における健康情報ＨＨ２を生成する処理は、第１の測定器からの身体情報Ｐと、健康情報ＨＨ２をマッサージチェア６に提供するタイミングとに基づいて健康状態に関する内容を決定する処理を含む。
【００９４】
サーバ１からメッセージＭ２を受信したマッサージチェア６のプロセッサ６０では表示処理が実行されて、タッチパネル６４に健康情報ＨＨ２に基づくテキストが表示される（ステップＳ３７）。
【００９５】
なお、この場合も、図６Ａ〜図９Ｂに示されたように、健康に関する質問が表示されてもよい。そのため、健康情報ＨＨ２には、これら質問を表示するための情報が含まれてもよい。
【００９６】
マッサージチェア６では、質問に回答するユーザ操作を受け付けると（ステップＳ３８）、操作内容を示す情報をサーバ１に送信する（ステップＳ３９）。この場合も、サーバ１の通知処理部１０１は、入力された回答を示す情報に基づいてアドバイスを決定し、アドバイスを示すテキストの情報を含む健康情報ＨＨ３を生成する（ステップＳ４０）。ここでのアドバイスの決定方法もまた、機械学習を利用したものであってよい。生成された健康情報ＨＨ３は、マッサージチェア６に送信される（ステップＳ４１）。サーバ１から健康情報ＨＨ３を受信したマッサージチェア６では表示処理が実行されて、タッチパネル６４に健康情報ＨＨ３に基づくテキストが表示される（ステップＳ４２）。
【００９７】
ステップＳ３７又はＳ４２では、例えば、図１４の画面６４１がタッチパネル６４に表示される。図１４を参照して、画面６４１は、携帯端末５に表示される画面と同様に、現在の健康状態と、健康状態を向上させるためのアドバイスと、を表したテキストを表示するための領域４３４を含む。
【００９８】
マッサージチェア６のタッチパネル６４に表示される画面６４１には、さらに、マッサージチェア６でログインユーザに施すことが推奨されるマッサージ内容である、おすすめマッサージコースを示すテキスト４３２と、おすすめマッサージコースでの施術の開始を指示する「スタート」ボタン４３３と、が含まれる。これら表示を行うために、サーバ１からの健康情報ＨＨ２には、テキスト４３２とボタン４３３とを表示装置に表示させるための情報が含まれている。
【００９９】
この場合、サーバ１の通知処理部１０１は、規定された複数の測定器から得られた複数の身体情報Ｐに基づいて、又は、入力された回答を示す情報に基づいておすすめのマッサージコースを決定する。マッサージコースの決定方法もまた、機械学習を利用したものであってよい。
【０１００】
マッサージチェア６のプロセッサ６０の駆動制御部６０１は、画面６４１の「スタート」ボタン４３３へのタッチを受け付けると、指示されたコースでのマッサージを開始する。これにより、画面６４１を見たユーザは適したマッサージコースを知ることができる。さらに、画面に対する操作によって、容易におすすめのマッサージコースの施術を開始させることができる。
【０１０１】
なお、第２の実施の形態に係るシステム１００では表示装置としてマッサージチェア６のタッチパネル６４が用いられるものとしているが、第１の実施の形態に係るシステム１００と同様に、携帯端末５のタッチパネル５４も表示装置として用いられてもよい。すなわち、携帯端末５でもタッチパネル５４に対するユーザ操作に従ってサーバ１に対して健康情報の提供がリクエストされてもよい。サーバ１は、ユーザ操作に従う携帯端末５からのリクエストに応じたタイミングで携帯端末５に健康情報を提供する。ここでのリクエストに応じたタイミングも、上記と同様である。なお、この場合、携帯端末５のタッチパネル５４に表示される画面には「スタート」ボタン４３３が含まれていなくてもよい。又は、携帯端末５のプロセッサ５０が遠隔でマッサージチェア６の駆動を制御する機能を有する場合には、プロセッサ５０は、「スタート」ボタン４３３に対するタッチ操作を受け付けると、指定されたマッサージコースでの施術の開始をマッサージチェア６に指示してもよい。
【０１０２】
また、画面６４１に示されたおすすめマッサージコースを示すテキスト４３２は、第１の実施の形態に係るシステム１００に含まれる表示装置としての携帯端末５に表示される画面に含まれてもよい。
【０１０３】
＜実施の形態の効果＞
第２の実施の形態に係るシステム１００では、複数の測定器で測定された身体情報Ｐに基づく健康情報ＨＨが、ユーザ操作に従う表示装置からのリクエストに応じたタイミングで表示装置に提供され、表示されることによってユーザに通知される。これにより、ユーザは、所望するタイミングで健康情報を確認することができる。また、表示装置にマッサージチェア６が含まれることで、ユーザは、マッサージチェア６も利用して健康情報を得ることができる。これにより、ユーザは健康情報を受け取りやすくなる。
【０１０４】
ユーザ操作に従う表示装置からのリクエストに応じたタイミングで表示装置に健康情報ＨＨを提供する場合には、好ましくは、提供するタイミングも考慮して健康情報ＨＨが決定される。この場合、健康情報ＨＨの提供のタイミングが一定していない場合がある。そのため、例えば、提供するタイミングが午前中であった場合には昼食に関するアドバイス、提供するタイミングが午後であった場合には睡眠に関するアドバイス、などを決定することで、ユーザにより有用な健康情報ＨＨを提供できる。
【０１０５】
［他の例１］
なお、以上の例では、サーバ１から提供される健康情報をテキストで出力する装置が表示装置であるものとしている。つまり、健康情報はテキスト表示によって出力されるものしている。しかしながら、テキストの出力は表示に限定されない。他の例として、音声読み上げ機能を利用した音声出力であってもよい。
【０１０６】
［他の例２］
以上の例では、ウェアラブル端末３は測定器に含まれるものとしている。他の例として、ウェアラブル端末３は、測定器であるとともに、表示装置であってもよい。この場合、サーバ１は、第１の実施の形態で説明されたように、表示装置としてのウェアラブル端末３に対して所定の時間間隔ｔで健康情報を提供する。又は、あるいは、加えて、サーバ１は、第２の実施の形態で説明されたように、表示装置としてのウェアラブル端末３に対して、ユーザ操作に従うウェアラブル端末３からのリクエストに応じたタイミングで健康情報を提供してもよい。
【０１０７】
本発明は、上記の実施の形態に限定されるものではなく、様々な変形が可能である。
【符号の説明】
【０１０８】
１        ：サーバ
２        ：インターネット
３        ：ウェアラブル端末
４        ：測定器
４Ａ      ：測定器
４Ｂ      ：測定器
５        ：携帯端末
６        ：マッサージチェア
１０      ：プロセッサ
１１      ：メモリ
１２      ：通信装置
４１      ：測定部
４２      ：通信部
５０      ：プロセッサ
５１      ：メモリ
５２      ：第１通信装置
５３      ：第２通信装置
５４      ：タッチパネル
６０      ：プロセッサ
６１      ：メモリ
６２      ：第１通信装置
６３      ：第２通信装置
６４      ：タッチパネル
６５      ：マッサージユニット
１００    ：システム
１０１    ：通知処理部
１１１    ：身体情報
１１２    ：プログラム
４０１    ：領域
４０１Ａ  ：ボタン
４０２    ：領域
４０３    ：領域
４０４    ：ボタン
４０５    ：領域
４０６    ：ボタン
４０７    ：領域
４０８    ：ボタン
４０９    ：テキスト
４１０    ：ボタン
４１１    ：ボタン
４１２    ：テキスト
４１３    ：ボタン
４１４    ：ボタン
４１５    ：テキスト
４１６    ：ボタン
４１７    ：ボタン
４１８    ：テキスト
４１９    ：ボタン
４２０    ：ボタン
４２１    ：テキスト
４２２    ：ボタン
４２３    ：ボタン
４２４    ：テキスト
４２５    ：ボタン
４２６    ：ボタン
４２７    ：テキスト
４２８    ：テキスト
４２９    ：テキスト
４３０    ：テキスト
４３１    ：テキスト
４３２    ：テキスト
４３３    ：ボタン
４３４    ：領域
５０１    ：ＵＬ処理部
５０２    ：表示処理部
５１１    ：プログラム
５４１    ：画面
５４２    ：画面
５４３    ：画面
５４４    ：画面
５４５    ：画面
５４６    ：画面
５４７    ：画面
５４８    ：画面
５４９    ：画面
５５０    ：画面
５５１    ：画面
５５２    ：画面
５５３    ：画面
６０１    ：駆動制御部
６０２    ：表示処理部
６０３    ：認証処理部
６１１    ：プログラム
６１２    ：ユーザ情報
６４１    ：画面
Ｈ        ：健康情報
Ｈ１      ：健康情報
Ｈ２      ：健康情報
ＨＨ      ：健康情報
ＨＨ１    ：健康情報
ＨＨ２    ：健康情報
ＨＨ３    ：健康情報
Ｍ２      ：メッセージ
Ｐ        ：身体情
Ｐ        ：身体情報
Ｐ１      ：身体情報
Ｐ２      ：身体情報
Ｐ３      ：身体情報
Ｔ        ：時間間隔
ｔ        ：時間間隔
ｔ０      ：タイミング
ｔ１      ：タイミング
ｔ２      ：タイミング
【図１】
2020061034.tif 000003
【図２】
2020061034.tif 000004
【図３】
2020061034.tif 000005
【図４】
2020061034.tif 000006
【図５】
2020061034.tif 000007
【図６】
2020061034.tif 000008
【図７】
2020061034.tif 000009
【図８】
2020061034.tif 000010
【図９】
2020061034.tif 000011
【図１０】
2020061034.tif 000012
【図１１】
2020061034.tif 000013
【図１２】
2020061034.tif 000014
【図１３】
2020061034.tif 000015
【図１４】
2020061034.tif 000016